(57)【要約】  本発明は物件に関心を有する個人（１０１）を監視する方法に関する。方法は：個人と複数の物件（１３１、１３２、１３３）の少なくとも１つとの間の遠隔相互関係に関連する相互関係データを取得するデータ・プロセッサー（１１１）を設ける段階（２１０）、前記相互関係データの分析に前記データ・プロセッサーを用い、前記個人が関心を有する特定の１つの物件（１３３）を識別する段階（２４０）、及び前記個人に前記特定の物件に関し情報を与えるために前記特定の物件に関連する追加データを取得する段階（２５０）、を有する。前記相互関係データの分析は：前記個人の関心が集中する遠隔位置を識別する段階（２２０）、及び前記遠隔位置に対する物件の位置を決定する段階（２３０）、を有して良い。
2009503717.tif 000002
【特許請求の範囲】
【請求項１】
方法であって、物件に関心を有する個人を監視し、前記方法は：
−個人と複数の物件の少なくとも１つとの間の遠隔相互関係に関連する相互関係データを取得するデータ・プロセッサーを設ける段階、
−前記相互関係データの分析に前記データ・プロセッサーを用い、前記個人が関心を有する特定の１つの物件を識別する段階、及び
−前記個人に前記特定の物件に関し情報を与えるために前記特定の物件に関連する追加データを取得する段階、を有する方法。
【請求項２】
前記相互関係データの分析は：
−前記個人の関心が集中する遠隔位置を識別する段階、及び
−前記遠隔位置に対する物件の位置を決定する段階、を有する、請求項１記載の方法。
【請求項３】
−前記遠隔相互関係に関連する相互関係データであるビデオ・データを取得する少なくとも１つのビデオ・カメラを用い、前記ビデオ・データを前記データ・プロセッサーへ提供する段階、
−前記遠隔相互関係に関連する相互関係データである音声データを取得する少なくとも１つのマイクロホンを用い、前記音声データを前記データ・プロセッサーへ提供する段階、
−前記遠隔相互関係に関連する相互関係データである接触入力データを取得する、物件から離れている接触検出器を用い、前記接触入力データを前記データ・プロセッサーへ提供する段階、の何れか１つの段階又は組み合わせを有する、請求項１記載の方法。
【請求項４】
前記データ・プロセッサーは、個人が見ている方向及び特定の物件の方向との交点を決定する注視検出器として構成される、請求項１記載の方法。
【請求項５】
１つより多い特定の物件が識別され、特定の物件の中で最も個人の関心を引いている更なる特定の物件を決定する段階、を更に有する請求項１記載の方法。
【請求項６】
前記物件は画面に表示される、請求項１記載の方法。
【請求項７】
前記個人にディスプレイで前記追加データを見せる段階、を更に有する請求項６記載の方法。
【請求項８】
１又は複数の物件は個人に見える物理的品目である、請求項１記載の方法。
【請求項９】
前記追加データを用い、特定の物件の照射又は物理的動きを通じて特定の物件を個人に積極的に実物宣伝する段階、を更に有する請求項８記載の方法。
【請求項１０】
物件の位置及び遠隔相互関係の対応する種類は相互関係マップで変化可能に定められる、請求項８記載の方法。
【請求項１１】
前記物件は店の領域内に設置される、請求項８記載の方法。
【請求項１２】
装置であって、物件に関心を有する個人を監視し、前記装置はデータ・プロセッサーを有し、前記データ・プロセッサーは：
−個人と複数の物件の少なくとも１つとの間の遠隔相互関係に関連する相互関係データを取得し、
−前記相互関係データを分析し、前記個人が関心を有する特定の１つの物件を識別し、及び
−前記個人に前記特定の物件に関し情報を与えるために前記特定の物件に関連する追加データを取得する、装置。
【請求項１３】
システムであって、物件に関心を有する個人を監視し、前記システムは請求項１１に記載の装置、並びに
−前記遠隔相互関係に関連する相互関係データであるビデオ・データを取得し及び前記ビデオ・データを前記装置へ提供するビデオ・カメラ、
−前記遠隔相互関係に関連する相互関係データである音声データを取得し及び前記音声データを前記装置へ提供するマイクロホン、
−前記遠隔相互関係に関連する相互関係データである接触入力データを取得し及び前記接触入力データを前記装置へ提供する、物件から離れている接触検出器、の何れか１つ又は組み合わせ、を有するシステム。
【請求項１４】
コンピューター・プログラムであって、前記コンピューター・プログラムが実行されると、プログラム可能な装置に請求項１乃至１１の何れか１項記載の方法を実行させる、コンピューター・プログラム。
【発明の詳細な説明】
【技術分野】
【０００１】
本発明は物件に関心を有する個人を監視する方法及び物件に関心を有する個人を監視する装置に関する。本発明はまた、当該装置を有するシステム、及びコンピューター・プログラムに関する。
【背景技術】
【０００２】
特許文献１は、書店内に設置され、当該書店の窓を通過する潜在顧客を監視するシステムを開示する。当該システムは、中央演算処理装置（プロセッサー）と接続されたカメラ及びディスプレイを有する。カメラは顧客の画像を取得し及び当該画像をプロセッサーへ供給するよう構成される。プロセッサーは画像を処理し及びカメラとディスプレイを別個に制御するよう構成される。プロセッサーはまた、画像から潜在顧客の性別と年齢を決定するよう構成される。ディスプレイは書店の窓に設置され、顧客が書店の外側からディスプレイの情報を見得るようにする。プロセッサーは顧客の顔の中心線を計算し、顧客の注意の方向を決定できる。プロセッサーが顧客は書店の窓の方向を見ていると決定した場合、プロセッサーはディスプレイを自動的に制御し、顧客の性別と年齢に従い販売中の雑誌のリストのような情報を表示する。
【０００３】
知られているシステムの不利点は、例えば監視される顧客の画像が処理される方法により、及び提示のために情報が選択される方法により、潜在顧客に情報を不適切に提供してしまうことである。潜在顧客は単に決定された性別と年齢に対し予め選択された情報を見るだけであり、例えば年齢が誤って決定されたため又はディスプレイで別の情報を見たい顧客に情報が好まれないために、当該情報は顧客に提示されるべきでない場合がある。
【特許文献１】特許第２００３／２７１０８４号明細書
【発明の開示】
【発明が解決しようとする課題】
【０００４】
物件に関心を有する個人を監視する方法であって、情報が当該個人に提示するために効果的に選択される方法を提供することが望ましい。個人のための適切な情報が正確に選択されるよう、個人が監視されるべきである。
【課題を解決するための手段】
【０００５】
本発明の方法は：
−個人と複数の物件の少なくとも１つとの間の遠隔相互関係に関連する相互関係データを取得するデータ・プロセッサーを設ける段階、
−前記相互関係データの分析に前記データ・プロセッサーを用い、前記個人が関心を有する特定の１つの物件を識別する段階、
−前記個人に前記特定の物件に関し情報を与えるために前記特定の物件に関連する追加データを取得する段階、を有する。
【０００６】
例えば、データ・プロセッサーに相互関係データとして供給された１又は複数の画像の分析は、物件に対する個人の位置を決定可能にする。データ・プロセッサーは、少なくとも１つの画像から個人が特定の方向を見ていると決定して良い。特定の物件は個人の注意の方向及び個人の位置から識別されて良い。個人が特定の物件に特別に関心があると分かった場合、更なる情報提示又は更なるユーザー相互関係が識別された特定の物件に集中されて良い。特定の情報が特定の物件に明白に関連する個人に示され得るので、個人が監視された場合に追加データは個人の関心と正確に一致する。例えば、特定の物件が特に（特定の時間量の間）ショーウインドウを通して見られている場合、確かに個人の関心がある。
【０００７】
特許文献１で知られるシステムでは、個人が一般にディスプレイを見ているか否かが決定されるだけである。例えば、システムは個人がどの雑誌に関心があるかを導出できない。システムは単に年齢が正確に決定された場合に個人が関心を持ち得る雑誌のリストを表示し得る。ディスプレイの全体の内容は潜在顧客に適応される。如何なる場合も、知られているシステムは表示された雑誌の何れかに特別な関心を有する潜在顧客を検出可能ではない。
【０００８】
本発明の装置はデータ・プロセッサーを有し、前記データ・プロセッサーは：
−個人と複数の物件の少なくとも１つとの間の遠隔相互関係に関連する相互関係データを取得し、
−前記相互関係データを分析し、前記個人が関心を有する特定の１つの物件を識別し、
−前記個人に前記特定の物件に関し情報を与えるために前記特定の物件に関連する追加データを取得する。
【０００９】
装置は、個人が関心を有する特定の物件を識別し、及び特定の物件に関する対応する情報を提供可能にする。装置は本発明の方法に従い機能して良い。
【００１０】
本発明の上述の及び他の態様は、例として以下の図面を参照し詳細に説明される。
【発明を実施するための最良の形態】
【００１１】
本発明のある可能な実施例は、図１に示されるようにショーウインドウ１０５の近くの個人１０１を監視するシステム１００を設ける。システム１００は、店の潜在顧客であり得る個人１０１を監視する装置１１０、物件、例えば販売中の商品１３１、１３２、及び１３３に関する情報を、ショーウインドウ１０５を通じ個人１０１に見えるよう表示するディスプレイ画面１２０のような提示装置、及びカメラ１４１及び１４２のような１又は複数の監視装置、を有する。
【００１２】
図１に示されるシステム１００は、ショーウインドウ１０５により個人１０１から隔離された店の領域に配置される。しかしながら、システムはまた店の領域内にいる個人を監視するよう配置されても良い。
【００１３】
カメラ１４１及び１４２は、商品１３１、１３２、及び１３３の前又は周囲の領域が含まれるようビデオ・データを取り込むよう適応されて良い。例えば、個人１０１がショーウインドウ１０５に近い場合、個人はカメラ１４１及び１４２により監視される領域内に居る。更に、カメラはビデオ・データを装置１１０へ実時間モードでストリームして良い。
【００１４】
装置１１０は、カメラ１４１及び１４２により供給されるビデオ・データを取得するデータ・プロセッサー１１１（「プロセッサー」として参照される）を有して良い。ビデオ・データは、個人１０１と商品１３１、１３２、及び１３３の少なくとも１つとの間に「遠隔相互関係」があるか否かを示して良い。遠隔相互関係は１つの商品を注視して立っている個人１０１、商品の１つを指差している個人１０１、個人１０１と他の顧客（示されない）との間の商品の１つに関する会話、及びショーウインドウ１０５の個人による接触に関係して良い。遠隔相互関係は個人１０１の動作に関係し、個人は相互関係の如何なる追加電子器具も用いる必要がない。
【００１５】
装置１１０は、メモリー装置（示されない）、例えば知られているＲＡＭ（ランダム・アクセス・メモリー）メモリー・モジュールを更に有して良い。装置１１０はメモリー装置から装置の機能を可能にする少なくとも１つの命令を読み出すよう構成されて良い。
【００１６】
プロセッサー１１１はビデオ・データの分析を実行し、個人１０１の見ている方向Ｄ及び位置を検出して良い。分析は、特許文献１に開示されたように個人の頭部の位置及び傾きを検出する方法を有して良い。或いは、視線追跡法が用いられて良い。視線追跡法は、個人の眼の瞳孔の相対位置に対する個人の注視の関係を利用する。方法は、眼の網膜の高い反射特性の結果である輝く眼の効果を更に用いて良い。眼に入る光の有意な量は瞳孔を通じて反射される。
【００１７】
ある実施例では、プロセッサー１１１は、個人１０１により指差された方向（示されない）を検出する画像分析アルゴリズムを実行するよう構成される。指差し方法は眼の注視分析に信頼性を追加し得る。指差し方法と眼の注視分析で決定された方向は比較され、例えば商品１３１、１３２、及び１３３の１つに対し個人１０１により示された「平均」方向を導出して良い。
【００１８】
個人が見ている方向及び個人の位置が決定されると、商品１３１、１３２、及び１３３の位置に関する情報が得られ、個人が見ている方向と商品の１つとの交点を決定する。
【００１９】
商品の位置を検出する多くの方法がある。選択肢の１つは、対応する商品１３１、１３２、及び１３３に取り付けられたＲＦＩＤタグ１６１、１６２及び１６３を検出する（例えばアクティブＲＦＩＤアンテナの）検出器の格子を用いることである。多くの倉庫は何らかのＲＦＩＤタグを用い、彼らの商品を何らかの方法でタグ付けする。本発明によるＲＦＩＤタグ１６１、１６２、及び１６３はまた、個々の商品１３１、１３２、及び１３３の識別子を格納しても良い。識別子は商品の名称、商品の価格、又は単に商品の固有コードを提供して良い。特定の実施例では、ＲＦＩＤタグは対応する商品を個人１０１へディスプレイ画面１２０を用い提示するために用いられるべき情報を格納する。例えば、ＲＦＩＤタグは対応する商品の照明を作動させるトリガーを格納して良い。
【００２０】
商品の位置を確定する別の方法は、位置を定める相互関係マップ（示されない）を用いることである。店の販売代理店は装置１１０を用いマップ上の位置をユーザー操作可能に定めて良い。例えば、装置１１０は販売代理店に商品位置を指定させるユーザー・インターフェースを有して良い。装置はマップを格納し、マップを用い商品の座標を見付けて良い。
【００２１】
検出器格子１５０を用いることにより、商品１３１、１３２、及び１３３の座標及びそれらの識別子が得られ、装置１１０へ供給される。更に、データ・プロセッサー１１１は商品１３１、１３２、及び１３３の座標を個人が見ている方向Ｄ、及び個人１０１の位置と比較して良い。比較は個人１０１が見ている特定の１つの商品、例えば商品１３３を明らかにし得る。このように、データ・プロセッサーは特定の商品１３３及びその識別子を識別して良い。
【００２２】
特定の商品の識別子を得ると、データ・プロセッサー１１１は識別子からのコードを用い、特定の商品１３３に関連する追加データを格納する商品データベース（示されない）に問い合わせて良い。追加データは、特定の商品の技術仕様を説明するメディア・コンテンツ・データ、又は特定の商品を宣伝するビデオ・クリップ等を有して良い。
【００２３】
追加データ、例えばメディア・コンテンツ・データはディスプレイ画面１２０に表示される。個人１０１は、個人が特定の商品を見たか又は指差した直後に特定の商品に関する情報を見得る。
【００２４】
メディア・コンテンツ・データは、視覚情報（例えばビデオ画像、写真、グラフィックス）、音声情報、文字情報、及び他のデジタル・データ、例えばサンプリングを用い及び語彙検索の単語を用いデジタル化素材を記述又は検索するために用いられて良いＭＰＥＧ−７規格に従うメタデータ、の少なくとも１つ又はそれらの如何なる組み合わせを有しても良い。
【００２５】
ある実施例によると、店の領域には商品１３１、１３２、及び１３３が配置され、店の領域は、音声データを生成し及び音声データをプロセッサー１１１へ供給する１又は複数のマイクロホン（示されない）を設けられて良い。音声データは、商品の前の個人の間の会話、又は個人１０１の音声コマンドに関係して良い。プロセッサー１１１は音声データから商品に関連するキーワードを抽出して良い。キーワードは例えば「ＴＶ」、「ＤＶＤプレーヤー」、「家庭向け映画システム」のように予め定められて良い。或いは発見的会話分析アルゴリズムが適用され、商品に関連する可能性のある音声データの部分を抽出して良い。プロセッサー１１１はキーワード又は音声データから関連する会話内で認識された文字を用い、商品データベースに問い合わせ、会話の中で説明されたか又は個人１０１により言及された可能性のある商品１３１、１３２、及び１３３の１つを見付けて良い。従って、特定の物件１３３が識別され得る。
【００２６】
別の実施例では、特定の物件は、個人１０１によるショーウインドウ１０５の１又は複数の接触の検出を通じて識別される。ショーウインドウは、例えばショーウインドウ上の接触位置を検出する容量性接触検出器（示されない）又は他の種類の接触検出器を有する格子を内蔵して良い。接触検出器は、接触位置を有する接触入力データをプロセッサー１１１へ送信して良い。プロセッサーは接触位置を商品１３１、１３２、及び１３３の座標に投影し、どの商品がウインドウ上の接触に最も近いかを決定して良い。例えば、最も近い商品は識別された特定の商品１３３である。
【００２７】
有利なことに、装置１１０は、個人１０１がショーウインドウ１０５に近いか否かを検知する近接検出器（示されない）と結合されて良い。近接センサーはショーウインドウに設置されて良い。近接センサーは、個人１０１がショーウインドウの前に検出された場合に起動信号を生成して良い。起動信号を受信すると、プロセッサー１１１は個人を監視する処理を開始して良い。
【００２８】
ディスプレイ画面１２０は、個人に特定の物件を知らせる他の手段と置き換えられて良い。例えば、システム１００は特定の物件を照射する自動で移動可能な投影機を有して良い。結果として、特定の物件に関心を持つ個人には照射された特定の物件が良く見え得る。或いは、商品１３１、１３２、及び１３３は回転台の上に位置付けられて良い。装置１１０は台の１つを個々に制御し、特定の物件として識別された対応する１つの商品を回転して良い。別の実施例では、ディスプレイ画面１２０はショーウインドウ１０５に特定の商品に関する追加データを投影する投影機（示されない）により置き換えられる。ショーウインドウは、投影された追加データを表示するために適した特別な構造を有して良い。
【００２９】
図１に示された実施例はまた、図書館、展示会、美術館、又は物理的品目が公衆に実物宣伝される他の公共の場に適応されても良い。しかしながら、本発明は物理的品目の識別に限定されない。例えば、図１に示された実施例は、オンラインで、例えばインターネット店舗で商品を宣伝するために適用されて良い。ディスプレイ画面１２０は商品を視覚的に表示して良く、従って商品は図１のようにショーウインドウとディスプレイ画面１２０との間に物理的に存在する必要がない。注視検出及び指差しは、表示された商品の１つへの個人１０１の関心を遠隔で検出するために適用されて良い。個人１０１の関心のある特定の商品が識別されると、ディスプレイ画面１２０は特定の商品に関する追加データを表示して良い。
【００３０】
図２は、本発明の方法の実施例を示す。実施例は段階２１０を有する。段階２１０は、相互関係データ、例えばカメラ１４１及び１４２により供給されるビデオ・データ、マイクロホンにより生成された音声データ、又は個人１０１による接触の位置を有する接触入力データを取得するプロセッサー１１１を用いる。段階２２０で、個人１０１の注視の方向Ｄが検出され、個人１０１の位置がビデオ・データから決定される。或いは又は更に、指差し方法は個人１０１により指差された方向（示されない）を検出可能にし、又はキーワード若しくは認識された会話が音声データから抽出される。
【００３１】
段階２３０によると、物件の位置が決定される。例えば、ＲＦＩＤ検出器の格子１５０はＲＦＩＤタグ１６１、１６２、及び１６３を検出するために用いられる。商品の位置を示す相互関係マップもまた用いられて良い。段階２４０で、特定の物件１３３は遠隔の関心の位置、例えば個人が見ている方向又は指差された方向に対応する位置、及び商品１３１、１３２、及び１３３の位置に基づき識別される。ある実施例では、段階２３０及び２４０は、キーワード又は音声データからの認識された会話を用い、商品データベースに問い合わせ、会話の中で説明されたか又は個人１０１により言及された可能性のある商品１３１、１３２、及び１３３の１つを見付けることに対応する。最後に、段階２５０は追加データの取得を提供する。追加データに従い、特定の物件が照射され、回転され、又は特定の物件に関する追加情報と一緒にディスプレイ画面に表示される。
【００３２】
方法は、個人が関心のある特定の物件の提示のみを変更することにより、個人に実物宣伝される物件の提示を調整可能である。従って、特定の物件の提示は個人化される。これは、個人１０１による特定の物件１３３の認識に有利な効果を生成し得る。本発明は、システム１００と個人１０１との間の直感的且つ平易な相互関係を可能にし、従って個人１０１はシステムと相互関係するために如何なる追加装置も有さずに関心のある情報を受信する。
【００３３】
方法の更なる実施例では、装置１１０は特定の時間期間に渡り１より多い特定の物件を識別して良い。個人１０１は先ず商品１３１、１３２、及び１３３の全範囲に渡り手短に見て、次に最も関心のある１つの商品を決めたいかも知れない。このような状況では、装置１１０は、個人１０１が商品１３１、１３２、及び１３３の１つを見ている時間、個人１０１が１つの商品を指した時間等をカウントするよう構成されて良い。個人１０１が１つの商品から他の商品へ注意を変える間、装置はディスプレイ画面１２０を制御し対応する商品の追加データを表示して良い。次の段階として、装置は最長時間を受信した１つの商品を発見して良い。従って、装置１１０は更なる特定の物件を識別する。ある実施例では、装置はディスプレイ画面１２０に更なる特定の商品に関する更に詳細な追加データを表示させる。装置はまた、潜在顧客が更なる特定の商品の購入を決定しそうになり得る音声又は視覚信号を販売代理店のために生成しても良い。或いは、装置はディスプレイ画面１２０に個人１０１を更なる支援のために店内に勧誘するメッセージを表示させて良い。
【００３４】
記載された実施例の変形及び変更が本発明の概念の範囲内で可能である。例えば、ある実施例では、本発明によるシステムは単一の装置で実施されるか、又はサービス・プロバイダー及びクライアントを有する。或いは、システムは互いに分配され遠隔に設置される装置を有して良い。別の実施例では、装置１１０はインターネット検索エンジンを用いて特定の商品に関する追加データを検索するために適応されて良い。
【００３５】
プロセッサーはソフトウェア・プログラムを実行し、本発明の方法の段階を実行させて良い。ソフトウェアは本発明の装置を動作している場所と独立にし得る。装置を可能にするため、プロセッサーはソフトウェア・プログラムを例えば他の（外部）装置へ送信して良い。独立の方法の請求項及びコンピューター・プログラムの請求項は、ソフトウェアが製造されるか又は消費家電商品で実行するために利用される場合に、本発明を保護するために用いられ得る。外部装置はＢｌｕｅｔｏｏｔｈ、ＩＥＥＥ８０２．１１［ａ−ｇ］等のような既存技術を用いプロセッサーと接続されて良い。プロセッサーはＵＰｎＰ（ユニバーサル・プラグ・アンド・プレイ）規格に従い外部装置と相互関係して良い。
【００３６】
「コンテンツ・プログラム」は、フロッピー（登録商標）・ディスクのようなコンピューター可読媒体に格納された、インターネットのようなネットワークを介してダウンロード可能な、又は如何なる他の方法で市場性のある、如何なるソフトウェアも意味すると理解されるべきである。
【００３７】
種々のプログラムは、本発明のシステムの機能及び方法を実施して良く、及びいくつかの方法でハードウェアと結合されるか又は異なる装置内に設置されて良い。本発明は、複数の個別の要素を有するハードウェアにより、及び適切に設定されたコンピューターにより実施され得る。複数の手段を列挙した装置の請求項では、これら複数の手段は、１つ及び同一のハードウェア要素により実施され得る。
【図面の簡単な説明】
【００３８】
【図１】本発明によるシステムの実施例の機能ブロック図である。
【図２】本発明の方法の実施例である。
【図１】
2009503717.tif 000003
【図２】
2009503717.tif 000004
【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
方法であって、物件に関心を有する個人を監視し、前記方法は：
−個人と複数の物件の少なくとも１つとの間の遠隔相互関係に関連する相互関係データを取得するデータ・プロセッサーを設ける段階、
−前記相互関係データの分析に前記データ・プロセッサーを用い、前記個人が関心を有する特定の１つの物件を識別する段階、
−前記個人に前記特定の物件に関し情報を与えるために前記特定の物件に関連する追加データを取得する段階、及び
−前記追加データを個人に提供する段階、を有する方法。
【請求項２】
前記相互関係データの分析は：
−前記個人の関心が集中する遠隔位置を識別する段階、及び
−前記遠隔位置に対する物件の位置を決定する段階、を有する、請求項１記載の方法。
【請求項３】
−前記遠隔相互関係に関連する相互関係データであるビデオ・データを取得する少なくとも１つのビデオ・カメラを用い、前記ビデオ・データを前記データ・プロセッサーへ提供する段階、
−前記遠隔相互関係に関連する相互関係データである音声データを取得する少なくとも１つのマイクロホンを用い、前記音声データを前記データ・プロセッサーへ提供する段階、
−前記遠隔相互関係に関連する相互関係データである接触入力データを取得する、物件から離れている接触検出器を用い、前記接触入力データを前記データ・プロセッサーへ提供する段階、の何れか１つの段階又は組み合わせを有する、請求項１記載の方法。
【請求項４】
前記データ・プロセッサーは、個人が見ている方向及び特定の物件の方向との交点を決定する注視検出器として構成される、請求項１記載の方法。
【請求項５】
１つより多い特定の物件が識別され、特定の物件の中で最も個人の関心を引いている更なる特定の物件を決定する段階、を更に有する請求項１記載の方法。
【請求項６】
前記物件は画面に表示される、請求項１記載の方法。
【請求項７】
前記個人にディスプレイで前記追加データを見せる段階、を更に有する請求項６記載の方法。
【請求項８】
１又は複数の物件は個人に見える物理的品目である、請求項１記載の方法。
【請求項９】
前記追加データを用い、特定の物件の照射又は物理的動きを通じて特定の物件を個人に積極的に実物宣伝する段階、を更に有する請求項８記載の方法。
【請求項１０】
物件の位置及び遠隔相互関係の対応する種類は相互関係マップで変化可能に定められる、請求項８記載の方法。
【請求項１１】
前記物件は店の領域内に設置される、請求項８記載の方法。
【請求項１２】
装置であって、物件に関心を有する個人を監視し、前記装置はデータ・プロセッサーを有し、前記データ・プロセッサーは：
−個人と複数の物件の少なくとも１つとの間の遠隔相互関係に関連する相互関係データを取得し、
−前記相互関係データを分析し、前記個人が関心を有する特定の１つの物件を識別し、及び
−前記個人に前記特定の物件に関し情報を与えるために前記特定の物件に関連する追加データを取得し及び提供する、装置。
【請求項１３】
システムであって、物件に関心を有する個人を監視し、前記システムは請求項１２に記載の装置、並びに
−前記遠隔相互関係に関連する相互関係データであるビデオ・データを取得し及び前記ビデオ・データを前記装置へ提供するビデオ・カメラ、
−前記遠隔相互関係に関連する相互関係データである音声データを取得し及び前記音声データを前記装置へ提供するマイクロホン、
−前記遠隔相互関係に関連する相互関係データである接触入力データを取得し及び前記接触入力データを前記装置へ提供する、物件から離れている接触検出器、の何れか１つ又は組み合わせ、を有する、システム。
【請求項１４】
コンピューター・プログラムであって、前記コンピューター・プログラムが実行されると、プログラム可能な装置に請求項１乃至１１の何れか１項記載の方法を実行させる、コンピューター・プログラム。
【手続補正２】
【補正対象書類名】明細書
【補正対象項目名】０００９
【補正方法】変更
【補正の内容】
【０００９】
装置は、個人が関心を有する特定の物件を識別し、及び特定の物件に関する対応する情報を提供可能にする。
【国際調査報告】
2009503717.tif 000005
2009503717.tif 000006
2009503717.tif 000007